【手続補正書】
【提出日】平成24年6月15日(2012.6.15)
【手続補正１】
【補正対象書類名】特許請求の範囲
【補正対象項目名】全文
【補正方法】変更
【補正の内容】
【特許請求の範囲】
【請求項１】
物体側より像側へ順に、負の屈折力の第１レンズ群と、正の屈折力の第２レンズ群と、正の屈折力の第３レンズ群より構成され、ズーミングに際して各レンズ群の間隔が変化するズームレンズであって、前記第１レンズ群は２枚のレンズからなり、前記第１レンズ群の焦点距離をｆ１、望遠端における全系の焦点距離をｆｔ、前記第１レンズ群の最も物体側のレンズ面と最も像側のレンズ面の曲率半径を各々Ｒ１ｆ、Ｒ２ｒとするとき、
−０．６０＜ｆ１／ｆｔ＜−０．２０
−０．３９＜（Ｒ２ｒ−Ｒ１ｆ）／（Ｒ２ｒ＋Ｒ１ｆ）＜０．３６
なる条件式を満足することを特徴とするズームレンズ。
【請求項２】
前記第１レンズ群の物体側と像側のレンズの焦点距離を各々ｆＧ１、ｆＧ２とするとき、
−２．８＜ｆＧ２／ｆＧ１＜−２．４
なる条件式を満足することを特徴とする請求項１に記載のズームレンズ。
【請求項３】
前記第１レンズ群の物体側のレンズの像側のレンズ面の曲率半径をＲ１ｒ、前記第１レンズ群の像側のレンズの物体側のレンズ面の曲率半径をＲ２ｆとするとき、
−０．３３＜（Ｒ２ｆ−Ｒ１ｒ）／（Ｒ２ｆ＋Ｒ１ｒ）＜０．３３
なる条件式を満足することを特徴とする請求項１または２に記載のズームレンズ。
【請求項４】
前記第１レンズ群の物体側と像側のレンズの材料のｄ線に対する屈折率を各々Ｎｄ１、Ｎｄ２とするとき、
１．８８０＜（Ｎｄ１＋Ｎｄ２）／２＜２．５００
なる条件式を満足することを特徴とする、請求項１乃至３のいずれか１項に記載のズームレンズ。
【請求項５】
前記第１レンズ群の最も物体側のレンズ面は、レンズ中心部からレンズ周辺部に向かって正の屈折力が小さくなる非球面形状であることを特徴とする請求項１乃至４のいずれか１項に記載のズームレンズ。
【請求項６】
前記第２レンズ群は、３枚のレンズからなることを特徴とする請求項１乃至５のいずれか１項に記載のズームレンズ。
【請求項７】
前記第２レンズ群を光軸と垂直方向の成分を持つように移動させて、結像位置を光軸と垂直方向に移動させることを特徴とする請求項１乃至６のいずれか１項に記載のズームレンズ。
【請求項８】
請求項１乃至７のいずれか１項に記載のズームレンズと、該ズームレンズによって形成された像を受光する撮像素子を有することを特徴とする撮像装置。
【請求項９】
広角端での有効像円径が望遠端での有効像円径よりも小さいことを特徴とする請求項８に記載の撮像装置。
【手続補正２】
【補正対象書類名】明細書
【補正対象項目名】０００７
【補正方法】変更
【補正の内容】
【０００７】
本発明のズームレンズは、物体側より像側へ順に、負の屈折力の第１レンズ群と、正の屈折力の第２レンズ群と、正の屈折力の第３レンズ群より構成され、ズーミングに際して各レンズ群の間隔が変化するズームレンズであって、前記第１レンズ群は２枚のレンズからなり、前記第１レンズ群の焦点距離をｆ１、望遠端における全系の焦点距離をｆｔ、前記第１レンズ群の最も物体側のレンズ面と最も像側のレンズ面の曲率半径を各々Ｒ１ｆ、Ｒ２ｒとするとき、
−０．６０＜ｆ１／ｆｔ＜−０．２０
−０．３９＜（Ｒ２ｒ−Ｒ１ｆ）／（Ｒ２ｒ＋Ｒ１ｆ）＜０．３６
なる条件式を満足することを特徴としている。
【手続補正３】
【補正対象書類名】明細書
【補正対象項目名】００１５
【補正方法】変更
【補正の内容】
【００１５】
各実施例では、第２レンズ群Ｌ２全体を光軸に対して垂直方向の成分を持つように動かすことで、ズームレンズに振動が伝わった際の像のブレを補正している。即ち被写体像（結像位置）を光軸に対し垂直方向に移動させている。尚、このとき第２レンズ群Ｌ２全体だけでなく第２レンズ群Ｌ２の一部のレンズ群を変位させて像のブレを補正するようにしても良い。各実施例のズームレンズは、広画角・高ズーム比（高変倍比）でありながらレンズ全長を短くするため、物体側から像側へ順に、負の屈折力の第１レンズ群と、正の屈折力の第２レンズ群と、正の屈折力の第３レンズ群からなる構成としている。
【手続補正４】
【補正対象書類名】明細書
【補正対象項目名】００１７
【補正方法】変更
【補正の内容】
【００１７】
そこで各実施例では、第１レンズ群Ｌ１の最も物体側のレンズ面の曲率半径が、最も像側のレンズ面の曲率半径に、近い形状とした。これにより、最も物体側のレンズ面で像面湾曲を良好に補正しつつ、球面収差も良好に保っている。具体的には、各実施例において、第１レンズ群Ｌ１の最も物体側のレンズ面と、最も像側のレンズ面の曲率半径を各々Ｒ１ｆ、Ｒ２ｒとする。第１レンズ群Ｌ１の焦点距離をｆ１、望遠端における全系の焦点距離をｆｔとする。このとき、
−０．６０＜ｆ１／ｆｔ＜−０．２０‥‥‥（１）
−０．３９＜（Ｒ２ｒ−Ｒ１ｆ）／（Ｒ２ｒ＋Ｒ１ｆ）＜０．３６ ‥‥‥（２）
なる条件を満足するようにしている。
【手続補正５】
【補正対象書類名】明細書
【補正対象項目名】００２４
【補正方法】変更
【補正の内容】
【００２４】
１．８８５＜（Ｎｄ１＋Ｎｄ２）／２＜２．０００ ‥‥‥（５ａ）
各実施例によれば、以上のように構成することによって、広画角かつ３．５倍以上の高ズーム比を有する３群ズームレンズを、少ないレンズ枚数でも良好な光学性能を有するように構成することができる。各実施例において更に好ましくは、第１レンズ群Ｌ１の最も物体側のレンズ面は、レンズ中心部からレンズ周辺部にかけて正の屈折力が弱まる非球面形状であるのが好ましい。これによれば像高の高い位置で正の像面湾曲を効果的に抑制できる。第２レンズ群Ｌ２は３枚のレンズから構成するのが良い。これによれば、高い変倍比（ズーム比）を実現するために第２レンズ群Ｌ２の正の焦点距離が短くなったり、ズーミングに伴う移動量が増えた場合にも、軸上色収差をズーム全域で良好に補正することが容易になる。４枚以上のレンズで構成するとレンズ全長が増大するので良くない。
【手続補正６】
【補正対象書類名】明細書
【補正対象項目名】００２５
【補正方法】変更
【補正の内容】
【００２５】
次に各実施例のレンズ構成について説明する。各実施例においては、負の屈折力の第１レンズ群Ｌ１を、物体側から像側へ順に、物体側に凸面を向けたメニスカス形状の負レンズＧ１１と物体側に凸面を向けたメニスカス形状の正レンズＧ１２の２枚のレンズで構成している。また、メニスカス形状の負レンズＧ１１は、物体側のレンズ面と像側のレンズ面とが、共にレンズ中心からレンズ周辺に向かってそれぞれ正と負の屈折力が弱まる非球面形状より成っている。第２レンズ群Ｌ２は、物体側から像側へ順に、物体側に凸面を向けた正レンズＧ２１と、像面側に凹面を向けた負レンズＧ２２とを接合した接合レンズと、正レンズＧ２３とを有している。正レンズＧ２１の物体側の面を非球面形状とすることにより、球面収差とコマ収差を良好に補正している。第３レンズ群Ｌ３は、１枚の正レンズＧ３１で構成している。以上のように、各実施例のズームレンズでは、各レンズ群の構成、特に第１レンズ群の各レンズのレンズ形状、各レンズ群のパワー配置等を適切に設定している。これにより、広画角であり、倍率（ズーム比）３〜４倍程度まで対応し、コンパクトで高い光学性能を得ている。
【手続補正７】
【補正対象書類名】明細書
【補正対象項目名】００２９
【補正方法】変更
【補正の内容】
【００２９】
数値実施例１
単位 mm
面データ
面番号       r        d      nd         νd
1*        18.709    1.10   1.84954    40.1           
2*         4.538    1.77                             
3          7.172    1.90   1.92286    18.9           
4         10.392  (可変)                             
5(絞り)    ∞      -0.30                             
6*         4.015    1.70   1.84954    40.1           
7         14.802    0.50   1.80809    22.8           
8          3.345    0.68                             
9          9.704    1.05   1.77250    49.6           
10        -25.626    0.10                             
11          ∞     (可変)                             
12         36.473    1.40   1.60311    60.6           
13        -24.994    2.97 
14          ∞       1.00   1.51633    64.1           
15          ∞       0.50                             
像面        ∞   
非球面データ
第1面
K =-6.25496e+001  A 4=-3.26330e-004  A 6= 1.21318e-005  A 8=-1.15618e-007  A10=
2.90934e-010  
第2面
K =-2.98511e+000  A 4= 1.55377e-003  A 6=-1.45275e-005  A 8= 4.52973e-007  A10=
1.66565e-008  
第6面
K =-8.99768e-001  A 4= 1.19553e-003  A 6= 1.35242e-005  A 8= 4.22012e-006  A10=
-1.90053e-007  
各種データ
ズーム比      3.90 
焦点距離       5.19    12.73    20.28     8.96    16.51  
Fナンバー      2.88     4.47     6.10     3.67     5.29  
画角          33.21    16.92    10.82    21.33    13.21  
像高           3.40     3.88     3.88     3.50     3.88  
レンズ全長    32.62    29.99    34.85    29.19    32.13  
BF             4.13     4.13     4.13     4.13     4.13  
d 4           13.24     3.17     0.59     6.09     1.58  
d11            5.34    12.79    20.23     9.06    16.51  
ズームレンズ群データ
群  始面    焦点距離  
1    1     -11.55  
2    5       9.34  
3   12      24.80  
4   14       ∞    
【手続補正８】
【補正対象書類名】明細書
【補正対象項目名】００３０
【補正方法】変更
【補正の内容】
【００３０】
数値実施例２
単位 mm
面データ
面番号       r        d      nd         νd
1*        18.824    1.00   1.84954    40.1           
2*         4.576    1.67                             
3          7.068    2.00   1.92286    18.9           
4         10.170  (可変)                             
5(絞り)    ∞      -0.30                             
6*         4.010    1.70   1.84954    40.1           
7         14.951    0.50   1.80809    22.8           
8          3.353    0.68                             
9          9.515    1.00   1.77250    49.6           
10        -28.740    0.10                             
11          ∞     (可変)                             
12         35.056    1.30   1.60311    60.6           
13        -26.345    3.85 
14          ∞       1.00   1.51633    64.1           
15          ∞       0.50                             
像面        ∞   
非球面データ
第1面
K =-6.25496e+001  A 4=-3.26308e-004  A 6= 1.21319e-005  A 8=-1.15617e-007  A10=
2.90934e-010  
第2面
K =-2.98511e+000  A 4= 1.55377e-003  A 6=-1.45275e-005  A 8= 4.52972e-007  A10=
1.66565e-008  
第6面
K =-8.99768e-001  A 4= 1.19555e-003  A 6= 1.35242e-005  A 8= 4.22012e-006  A10=
-1.90053e-007  
各種データ
ズーム比      3.91 
焦点距離       5.13    12.58    20.04     8.86    16.31  
Fナンバー      2.88     4.48     6.07     3.68     5.27  
画角          33.54    17.11    10.94    21.56    13.36  
像高           3.40     3.88     3.88     3.50     3.88  
レンズ全長    31.97    29.73    34.84    28.77    32.00  
BF             5.02     5.01     5.01     5.01     5.01  
d 4           13.10     3.21     0.68     6.08     1.66  
d11            4.21    11.86    19.50     8.03    15.68  
ズームレンズ群データ
群  始面    焦点距離  
1    1     -11.62  
2    5       9.36  
3   12      25.14  
4   14       ∞